(57)【特許請求の範囲】
【請求項１】
蓄電池の性能を回復させるため、蓄電池の電極板上に形成された硫酸塩を除去するよう蓄電池の電極板に電源を供給する蓄電池再生装置において、
電源入力部１００を通じて外部電源から供給される商用交流電源を変圧する変圧部２００と；
ＳＲＣ位相制御を通じて、前記変圧部２００によって変圧された前記交流電源をパルス波形の電源に変換するＳＣＲ駆動部４００と；
前記ＳＣＲ駆動部４００から出力された変換パルス電圧を前記蓄電池の電極板に供給することで前記蓄電池が充電されるよう、前記蓄電池の電極板に密着される出力端子５００と；
前記ＳＣＲ駆動部４００の駆動を制御するＳＣＲ制御部３００と；
前記蓄電池再生装置の動作環境を設定し表示する設定部６００及び表示部６５０と；
前記蓄電池の電圧と電流を測定する電圧検出部９００及び電流検出部９５０と；及び
前記各構成部の動作を制御するマイコン７００とからなり、
前記ＳＣＲ駆動部４００は、
前記ＳＣＲ制御部３００の制御により、前記変圧部２００から入力される前記交流電源をパルス波形の電源に変換するために、前記蓄電池の充電時に駆動されるＳＣＲ素子４２０と；及び
前記ＳＣＲ制御部３００の制御により、前記蓄電池の放電によって入力される電源を前記変圧器２００のためのパルス電源に変換するために、前記蓄電池の放電時に駆動されるＳＣＲ素子４２５と
からなることを特徴とする蓄電池再生装置。
【請求項２】
請求項１に記載の蓄電池再生装置において、
前記ＳＣＲ駆動部４００は、
前記マイコン７００の制御により、前記蓄電池を充電させるための前記ＳＣＲ素子４２０及び前記蓄電池を放電させるための前記ＳＣＲ素子４２５を前記変圧器２００と電気的に連結したり、電気的連結を遮断したりするメインスイッチ４１０と、
前記蓄電池で発生し、前期出力端子５００を通じて前記ＳＣＲ素子４２５に供給されるサージ電圧による電気的ショックを吸収することで前記ＳＣＲ駆動部を保護するリアクター４３０と
からなることを特徴とする蓄電池再生装置。
【請求項３】
請求項１に記載の蓄電池再生装置において、
前記ＳＣＲ制御部３００は、
パルス信号を生成するパルス発生器３１０と、
前記パルス発生器３１０から発生するパルス信号をカウントするカウンター３２０と、
前記マイコン７００から入力されるコード信号と前記カウンター３２０から出力されるカウンター信号とを組み合わせて生成される多数の信号を順次出力するセレクター３３０と、
前記セレクター３３０を通じて出力されるコード信号の順番による位相をチェックし、マイコン７００から転送されるパルス選択信号に応じて出力信号を選択するＰＬＤ判断部３４０と、
前記ＰＬＤ判断部３４０の出力信号に応じてＳＣＲ駆動部４００に備えられた二つのＳＣＲ素子４２０、４２５の駆動をそれぞれ制御するＳＣＲ駆動器３５０と
からなることを特徴とする蓄電池再生装置。
【請求項４】
請求項１に記載の蓄電池再生装置において、
前記マイコン７００は、
前記ＳＣＲ駆動部４００に備えられたメインスイッチ４１０に接点信号を転送するリレー制御部７２０と、
前記ＳＣＲ制御部３００にコード出力及び制御信号を転送するＳＣＲ制御駆動部７４０と、
前記電圧検出部９００から電圧信号が入力される電圧検出入力部７５３と、
前記電流検出部９５０から電流信号が入力される電流検出入力部７５２と、
前記温度測定部８００から温度信号が入力される温度測定入力部７５１と、
前記各構成部の動作を制御する中央制御部７１０と
からなることを特徴とする蓄電池再生装置。
【請求項５】
請求項４に記載の蓄電池再生装置において、
前記蓄電池再生装置には、蓄電池の温度を測定する温度測定部８００が備えられ、
前記マイコン７００は、
前記温度測定部８００から温度信号が入力される温度測定入力部７５１と、
外部装置との有線無線通信を行う通信部７３０と
からなることを特徴とする蓄電池再生装置。
【発明の詳細な説明】
【技術分野】
【０００１】
本発明は、蓄電池再生装置に関するものであり、更に詳しくは二次電池である蓄電池の電極板に、ＳＣＲ位相制御を通じてパルス電源を供給し、蓄電池の電極板に形成された硫酸塩を除去することによって、蓄電池の性能を回復させることができるようにする蓄電池再生装置に関するものである。
【背景技術】
【０００２】
二次電池である蓄電池は、自動車用バッテリー、船舶用バッテリー、ＵＰＳ用バッテリーなど、電源を必要とする様々な分野で電源供給装置として広く活用されている。
【０００３】
蓄電池は、可逆的な電気化学反応を利用して電気エネルギーを化学エネルギーに変換する充電と化学エネルギーを電気エネルギーに変換する放電を繰り返してその機能を遂行することになるが、かかる蓄電池を長期間使用すると、その性能が低下するため、廃棄されることになる。
【０００４】
蓄電池の性能が低下して蓄電池が廃棄される原因は、蓄電池の電極板に硫酸化現象が発生して蓄電池の内部抵抗が増加することにあるが、硫酸化現象とは、放電時に電極板に付着した硫酸塩が充電時に電極板から離脱せず、そのまま電極板に付着していることをいう。かかる硫酸化現象により蓄電池の電極板上に絶縁皮膜が形成されて電気化学反応におけるイオンの通路を遮断することになり、かかる電極板上の絶縁皮膜の形成は蓄電池の容量及び電解液の比重を下げ、電解質効率を悪くして蓄電池の性能を低下させることになる。
【０００５】
かかる問題点に応じ、蓄電池の電極板に付着する硫酸塩を除去する方法として、大韓民国公開特許公報第１０−２００５−００５７５４４号「鉛蓄電池に発生する硫酸鉛皮膜の除去装置」が提案された。
【０００６】
前記公開特許は、鉛蓄電池の電極上に生成される硫酸鉛皮膜を除去するために、表皮効果を伴う１μ秒以下の短いパルス幅のパルス電流を出力して、前記皮膜の表層部を集中的に分解する。
【０００７】
しかし、前記公開特許は、１μ秒以下の短いパルス幅を作るために別途の発振器や増幅器、波形整形回路、ネガティブパルス電流発生器などを備えなければならないので、回路構成及び動作が複雑であり、また製作費用が大幅にかかるという問題点がある。
【０００８】
一方、蓄電池の電極板に付着した硫酸塩を除去する別の方法として、大韓民国公開特許公報第１０−２００６−００９０９３９号「鉛蓄電池再生装置及びその再生方法」が提案されたが、前記公開特許は、廃鉛蓄電池の陰極電極及び陽極電極に１２００Ｖ〜１４００Ｖのパルスを９時間印加することによって、硫酸鉛の表面に形成された酸化膜を除去するようにしている。
【０００９】
しかし、前記公開特許は、一定時間の間に高圧パルスをバッテリーの電極に印加するために、高圧パルスを生成するためのパルス発生部を備えなければならず、またパルス発生部から発生した交流電圧を、整流器を通じて直流に変換させなければならないので、回路構成及び動作が複雑であるという問題点があった。
【発明の概要】
【発明が解決しようとする課題】
【００１０】
従って、本発明は上述した従来技術の問題点を解決するために提案されたものであり、本発明の目的は、回路構成及び動作が簡単で電力消費が少なく、また機器の耐久性を保障することができる蓄電池再生装置を提供することである。    
【００１１】
本発明の他の目的は、蓄電池の再生過程において蓄電池から放電される電力を消費しないで電力会社に返還できるようにして、電気節減の効果をもたらすことができる蓄電池再生装置を提供することである。
【課題を解決するための手段】
【００１２】
前記目的を達成するための本発明に係る蓄電池再生装置は、蓄電池の電極板に電源を供給して蓄電池の電極板に形成された硫酸塩を除去し、蓄電池の性能を回復させる蓄電池再生装置において、電源入力部を通じて外部から供給される商用交流電源を変圧する変圧部と；前記変圧部を通じて変圧された交流電源をＳＣＲ位相制御を通じて、１つのパルス波形の電源に変換するＳＣＲ駆動部と；前記蓄電池の電極板と接触し、前記ＳＣＲ駆動部を通じて生成されたパルス電源を蓄電池の電極板に供給して蓄電池を充電させる出力端子と；前記ＳＣＲ駆動部の駆動を制御するＳＣＲ制御部と；前記蓄電池再生装置の動作環境を設定し、表示する設定部及び表示部と；前記蓄電池の電圧と電流を測定する電圧検出部及び電流検出部と；前記各構成部の動作を制御するマイコンと；からなる。
【００１３】
前記ＳＣＲ駆動部は、蓄電池の充電時に駆動され、前記変圧部を通じて入力される交流電源を前記ＳＣＲ制御部の制御下でパルス波形の電源に変換する充電用ＳＣＲ素子と、前記蓄電池の放電時に駆動され、蓄電池の放電により入力される電源を前記ＳＣＲ制御部の制御下でパルス電源に変換して変圧器に転送する放電用ＳＣＲ素子と、前記マイコンの制御下で前記充電用ＳＣＲ素子及び放電用ＳＣＲ素子と変圧器とを連結接続及び遮断させるメインスイッチと、前記蓄電池から発生し、出力端子を通じて放電用ＳＣＲ素子に供給されるサージ電圧の電気的ショックを吸収してＳＣＲ駆動部を保護するリアクターとからなる。
【００１４】
また、前記ＳＣＲ制御部は、タイミングのためのパルス信号を生成するパルス発生器と、前記パルス発生器から発生するパルス信号をカウントするカウンターと、前記マイコンから入力されるコード信号と前記カウンターから出力されるカウンター信号とを組み合わせて生成される多数のコード信号を順次出力するセレクターと、前記セレクターを通じて出力される前記コード信号の順番による位相をチェックし、マイコンから転送されるパルス選択信号に応じて出力信号を選択するＰＬＤ判断部と、前記ＰＬＤ判断部の出力信号に応じてＳＣＲ駆動部に備えられた二つのＳＣＲ素子の駆動をそれぞれ制御するＳＣＲ駆動器とからなる。
【００１５】
前記マイコンは、ＳＣＲ駆動部に備えられたメインスイッチに接点信号を転送するリレー制御部と、前記ＳＣＲ制御部にコード出力及び制御信号を転送するＳＣＲ制御駆動部と、前記電圧検出部から電圧信号が入力される電圧検出入力部と、前記電流検出部から電流信号が入力される電流検出入力部と、前記温度測定部から温度信号が入力される温度測定入力部と、前記各構成部の動作を制御する中央制御部とからなる。
【発明の効果】
【００１６】
本発明に係る蓄電池再生装置は、商用交流電源をＳＣＲ位相制御を通じてパルス電源に変換した後、蓄電池の電極板にパルス電源を供給し、蓄電池の電極板に形成された硫酸塩を除去することによって、装置構成が簡単で製作費用が少なく、また少ない電力消費で蓄電池を効率よく再生させる効果がある。
【００１７】
また、本発明に係る蓄電池再生装置は、蓄電池を再生する過程において蓄電池から放電される電力を電力会社に返還することができるようにして電気を節減できる効果がある。  
【００１８】
本願発明は特定の実施例について記述しているが、その実施例及び特許請求の範囲に限るものではない。本願発明の範囲と精神とから外れることなく、当該技術に熟練した者が実施例を変更したり、修正したりすることも認められる。
【図面の簡単な説明】
【００１９】
【図１】本発明の実施例に係る蓄電池再生装置の斜視図である。
【図２】本発明の実施例に係る蓄電池再生装置の全体ブロック構成図である。
【図３】本発明の実施例に係る蓄電池再生装置の全体回路構成図である。
【図４】本発明の実施例に係る蓄電池再生装置のＳＣＲ制御部の全体ブロック構成図である。
【図５】本発明の実施例に係るＳＣＲ制御部の回路図である。
【図６】本発明の実施例に係る蓄電池再生装置のＳＣＲ駆動部に供給される電源の波形の一例である。
【図７】本発明の実施例に係る蓄電池再生装置のマイコンのブロック構成図である。
【図８】本発明の実施例に係るマイコンの回路図である。
【図９】本発明の実施例に係る蓄電池再生装置の動作過程を示すフローチャートである。
【発明を実施するための形態】
【００２０】
以下、添付の図面に基づいて本発明の好ましい実施例を詳しく説明する。
【００２１】
図１は、本発明の実施例に係る蓄電池再生装置の斜視図である。
【００２２】
図１に示すように、本発明に係る蓄電池再生装置は、本体１０の下面に装置移動のための四つのキャスターが設けられ、上面、両側面及び背面には内部から発生する熱を放出するための放熱板１６が形成される。また、本体１０の前面には動作環境を設定し表示する設定部６００及び表示部６５０が設けられ、前面の下部には本体１０の内側を開放することができるケースドア１２が設けられる。
【００２３】
一方、本体１０の外側には、外部から商用電源が供給される電源コードなどの電源入力部１００と、蓄電池の電極板と着脱可能に結合されて充電電源を供給するクランプ型の出力端子５００と、蓄電池の温度を測定する温度検出部８５０とが設けられる。
【００２４】
前記本体１０の内側には、電源入力部１００を通じて供給される交流電源をＳＣＲ（Ｓｉｌｉｃｏｎ  Ｃｏｎｔｒｏｌｌｅｄ  Ｒｅｃｔｉｆｉｅｒ）位相制御を通じてパルス電源に変換し、それを出力端子５００を通じて蓄電池に供給して蓄電池再生を行う蓄電池再生回路が設けられる。
【００２５】
図２は、本発明の実施例に係る蓄電池再生装置の全体ブロック構成図であり、図３は、本発明の実施例に係る蓄電池再生装置の全体回路構成図である。
【００２６】
図２及び図３に示すように、本発明に係る蓄電池再生装置は、外部から商用交流電源が供給される電源入力部１００と、前記電源入力部１００に入力される商用交流電源を変圧する変圧部２００と、前記変圧部２００を通じて変圧された交流電源をＳＣＲ位相制御を通じてパルス電源に変換するＳＣＲ駆動部４００と、前記ＳＣＲ駆動部４００を通じて変換されたパルス電源を蓄電池の電極板に供給する出力端子５００と、前記ＳＣＲ駆動部４００の動作を制御するＳＣＲ制御部３００と、蓄電池の電圧、電流及び温度を測定する電圧検出部９００、電流検出部９５０及び温度測定部８００と、蓄電池再生装置の動作環境を設定し表示する設定部６００及び表示部６５０と、前記各構成部の動作を制御するマイコン７００とからなる。
【００２７】
前記電源入力部１００は、外部から供給される交流２２０Ｖ、６０Ｈｚの商用電源が入力される電源入力装置である。
【００２８】
前記変圧部２００は、電源入力部１００から供給される商用交流電源を変換する変圧器（Ｔｒａｎｓｆｏｒｍｅｒ）であり、この変圧部２００には、商用交流電源をマイコン７００などの駆動電源に変換する制御用変圧器２１０と、蓄電池再生のための再生用電源に変換する蓄電池再生用変圧器２２０が備えられる。本発明の実施例において前記制御用変圧器２１０は商用交流電源を、マイコン７００を駆動するための１２Ｖの電源と、温度測定部８００を駆動するための１５Ｖの電源と、電圧検出部９００や電流検出部９５０などの各回路を駆動するための５Ｖの電源とに変換するが、変換された交流電源は整流過程を通じて直流電源に変換され、マイコン７００及び各回路に供給される。一方、蓄電池再生用変圧器２２０は蓄電池再生のため、蓄電池の充電容量に応じて交流電源に変換され、ＳＣＲ駆動部４００に供給される。
【００２９】
前記ＳＣＲ駆動部４００は、蓄電池再生用変圧器２２０を通じて変換された交流電源を半波整流した後、ＳＣＲ位相制御を通じてパルス電源信号に変換し、出力端子５００に供給するが、このＳＣＲ駆動部４００には、マイコン７００によって制御されるメインスイッチ４１０と、ＳＣＲ制御部３００によって制御される蓄電池の充電用及び放電用の二つのＳＣＲ素子４２０、４２５及びサージ電圧などのショックを吸収するためのリアクター４３０とが備えられる。前期ＳＣＲ駆動部４００は、ＳＣＲ制御部３００の制御により交流電源の一部波形のみを選択してパルス波形の電源に変換するが、ＳＣＲ位相制御によって非常に細分化された交流パルス波形が生成される。
【００３０】
前記ＳＣＲ制御部３００は、ＳＣＲ駆動部４００に備えられた二つのＳＣＲ素子４２０、４２５を駆動させ、交流電源をパルス電源に変換する役割を果たす。
【００３１】
図４は、本発明の実施例に係るＳＣＲ制御部の全体ブロック構成図であり、図５は、本発明の実施例に係るＳＣＲ制御部の回路図である。
【００３２】
図４及び図５に示すように、ＳＣＲ制御部は、タイミングのためのパルス信号を生成するハルス発生器３１０と、前記パルス発生器３１０から発生するパルス信号をカウントするカウンター３２０と、マイコン７００からコード入力端子３０１を通じて入力される８ｂｉｔのコード信号とカウンター３２０から出力される８ｂｉｔのカウンター信号とを組み合わせて生成される２３（＝２５６）個の信号を順次出力するセレクター３３０と、前記セレクター３３０を通じて出力される信号の順番による位相をチェックし、マイコン７００から転送されるパルス選択信号に応じて出力信号を選択するＰＬＤ（Ｐｒｏｇｒａｍａｂｌｅ  Ｌｏｇｉｃ  Ｄｅｖｉｃｅ）判断部３４０と、前記ＰＬＤ判断部３４０の出力信号に応じてＳＣＲ駆動部４００に備えられた二つのＳＣＲ素子４２０、４２５の駆動をそれぞれ制御するＳＣＲ駆動器３５０とからなる。
【００３３】
前記セレクター３３０によって選択される２５６個の信号は交流電源の一サイクルの間に出力される信号であり、一サイクルの交流波形を１／２５６に細分化して位相制御が可能となる。
【００３４】
図６は、本発明の実施例に係るＳＣＲ制御部の制御により、ＳＣＲ駆動部に供給される電源の波形を示すものである。
【００３５】
図６のａは、変圧部２００を通じて変圧され、ＳＣＲ駆動部４００に供給される交流電圧の波形を示し、図６のｂは、ＳＣＲ駆動部４００のＳＣＲ素子４２０を通じて半波整流された交流電源の波形を示し、また、図６のｃは、ＳＣＲ素子４２０を通じて位相制御され、選択されるパルス形態の電源の波形を示す。
【００３６】
前記ＳＣＲ制御部３００の制御によってＳＣＲ駆動部４００のＳＣＲ素子４２０、４２５が駆動されるが、まず、二つのＳＣＲ素子４２０、４２５のうち、蓄電池の充電中には、Ｑ２に該当する充電用ＳＣＲ４２０に図６のａのように交流電源が供給され、図６のｂのように電源が半波整流される。半波整流される電源のうち、ＳＣＲ制御部３００によって選択された位相分のパルス波形（ＰＰ）が選択され、出力端子５００に供給される。即ち、ＳＣＲ制御部３００のセレクター３３０は一サイクルの交流波形を２５６個に細分化し、充電用ＳＣＲ４２０は半波整流された電源のうち、細分化された一つのパルス波形（ＰＰ）の電源のみを通過させ、出力端子５００に供給する。前記選択されるパルス波形（ＰＰ）はＳＣＲ制御部３００のＰＬＤ判断部３４０によって決定されるが、そのＰＬＤ判断部３４０はマイコン７００の命令に応じて波形を選択する。従って、マイコン７００の設定により出力波形の位相を選択することで出力電源の大きさを調節することができるようになると、セレクター３３０の大きさを変更して２５６より更に細分化された波形、またはより少々細分化された波形を選択するようにすることもできる。かかるＳＣＲ位相制御を通じて、出力電源の波形選択は直流を交流に変換する別の過程を経ないので、回路構成を単純化することができ、より細分化されたパルス波形を選択することが可能になる。前記ＳＣＲ駆動部４００により発生するパルス波形の電源は、出力端子５００を通じて蓄電池の電極板に供給されて電極板に振動を与え、電極板に形成された硫酸塩を除去すると同時に硫酸塩の浮遊物質を溶解させて、蓄電池内の硫酸比重を元の状態に回復させるので、蓄電池の内部抵抗が減少して蓄電池が再生する。
【００３７】
一方、蓄電池の放電中にはＱ２に該当する充電用ＳＣＲ素子４２０の駆動が遮断され、Ｑ１に該当する放電用ＳＣＲ素子４２５が駆動され、放電用ＳＣＲ素子４２５の駆動によって選択された波形の電源が逆に変圧器２００に供給されるが、その逆に供給される電源は電力会社に返還されて電源節減の効果をもたらす。前記放電用ＳＣＲ素子４２５の駆動時のパルス波形は、図６のａ及びｂの位相とは反対のマイナス値を持つ。
【００３８】
図７は、本発明の実施例に係るマイコンのブロック構成図であり、図８は、本発明の実施例に係るマイコンの回路図である。
【００３９】
図７及び図８に示すように、本発明に係るマイコン７００は、ＳＣＲ駆動部４００に備えられたメインスイッチ４１０に接点信号を転送するリレー制御部７２０と、外部通信装置との有線・無線通信をするための通信部７３０と、ＳＣＲ制御部３００にコード出力及び制御信号を転送するＳＣＲ制御駆動部７４０と、電圧検出部９００から電圧信号が入力される電圧検出入力部７５３と、電流検出部９５０から電流信号が入力される電流検出入力部７５２と、温度測定部８５０から温度信号が入力される温度測定入力部７５１と、前記各構成部の動作を制御する中央制御部７１０とからなる。
【００４０】
前記中央制御部７１０は、設定部６００の設定条件によって制御信号を生成し、リレー制御部７２０とＳＣＲ制御駆動部７４０とを通じてＳＣＲ駆動部４００及びＳＣＲ制御部３００に転送し、電圧検出入力部７５３、電流検出入力部７５２及び温度検出入力部７５１を通じて入力される電圧信号、電流信号及び温度信号をチェックして表示部６５０に表示する。
【００４１】
前記設定部６００は蓄電池再生装置の動作環境を設定する入力装置であり、設定部６００には、蓄電池の充電・放電選択ボタン、動作ボタン、停止ボタン、蓄電池の容量設定スイッチ（ノブ）、電圧設定スイッチ、電流設定スイッチ、時間設定スイッチなどが備えられる。
【００４２】
前記表示部６５０は、マイコン７００によってチェックされる動作環境を表示するＬＣＤ窓と、電源を表示する電源ランプと、充電状態を表示する充電ランプと、放電状態を表示する放電ランプなどが備えられる。
【００４３】
前記電流検出部９５０は、ＳＣＲ駆動部４００と出力端子５００との間に直列に設置され、蓄電池の電流を検出してマイコン７００に転送する電流検出回路であり、前記電圧検出部９００は、ＳＣＲ駆動部４００と出力端子５００との間に並列に設置され、蓄電池の電圧を検出する電圧検出回路である。また、前記温度測定部８００は、周辺温度を測定する温度センサーであり、蓄電池の電極板に接触して蓄電池の温度を測定することができるようになる。
【００４４】
以下、前記の構成からなる蓄電池再生装置の動作過程について、図９を参照して詳細に説明する。
【００４５】
ステップＳ１１０、Ｓ１２０では、まず、蓄電池再生装置に交流電源が供給されシステムがオンになるとＳ１１０、設定部６００を通じて蓄電池再生装置の動作環境、即ち、蓄電池の容量設定、電圧設定、電流設定、時間設定などが行われる。
【００４６】
ステップＳ１３０では、蓄電池再生装置の出力端子５００を蓄電池の電極板に接触させ、蓄電池の状態をチェックする。蓄電池の状態チェックとして、蓄電池のＣＣＡ（Ｃｏｌｄ  Ｃｒａｎｋｉｎｇ  Ａｍｐｅｒｅｓ）測定、蓄電池の温度測定、充電状態測定、放電テストなどが行われる。
【００４７】
蓄電池の状態が測定されたら、ステップＳ１４０では、それに基づいて蓄電池の状態が正常であるかどうかを判断する。本発明の実施例において、電流８０Ａの基準で蓄電池のＣＣＡが５３０ＣＣＡ以上であり、かつ、測定された抵抗値が０．０５Ωである場合、蓄電池の状態が正常であると判断する。
【００４８】
万一、ステップＳ１４０で蓄電池の状態が正常であると判断したら、マイコン７００が蓄電池の充電状態をチェックした後Ｓ１４１、蓄電池が充電されていなかったら蓄電池を充電した後に再生過程を終了するＳ１４２。
【００４９】
一方、ステップＳ１４０で蓄電池が正常でないと判断したら、マイコン７００が蓄電池再生が可能であるかどうかを判断するＳ１５０。蓄電池再生可能の判断は、前の過程でチェックされた蓄電池の充電状態と、放電・充電過程後の蓄電池の状態とを比較して、蓄電池の状態が好転していたら再生可能であると判断するＳ１５０。一方、状態に変化があったら再生不可であると判断してＳ１５０、蓄電池を廃棄するＳ１５１。
【００５０】
ステップＳ１４０で蓄電池の状態が正常でない、かつ、再生可能であると判断したら、蓄電池を再生するために、まず、マイコン７００が、蓄電池が充電状態であるかどうかを確認した後Ｓ１６０、充電状態であったら設定部６００を通じて放電を選択し、蓄電池を放電させるＳ１７０。蓄電池の放電は、設定部６０の放電設定によってマイコン７００がＳＣＲ制御部３００に放電信号を転送し、ＳＣＲ制御部３００がＳＣＲ駆動部４００の放電用ＳＣＲ素子４２５を駆動させて、蓄電池の電源が出力端子５００を通じて逆に変圧器２００に供給されるようにすることで行われる。このとき、蓄電池が放電されたら蓄電池の電源が変圧器２００に逆に供給され、変圧器２００を通じて逆変圧される電源が電源入力部１００に供給されて電力会社に回収される効果をもたらす。本発明の実施例において、蓄電池の放電は蓄電池の電圧が５Ｖ以下に下がるまで行われる。
【００５１】
ステップＳ１８０では、蓄電池の放電が行われた後、蓄電池の充電過程が行われる。蓄電池の充電は、設定部６０の充電設定によって、マイコン7００がＳＣＲ制御部に充電信号を転送し、ＳＣＲ制御部３００がＳＣＲ駆動部４００の充電用ＳＣＲ素子４２０を駆動させて、出力端子５００を通じて蓄電池に充電用パルス電源が供給されるようにすることで行われる。蓄電池の充電が行われると、蓄電池の電極板にはパルス電源が供給されて電極板に形成された硫酸塩が除去され、硫酸塩の浮遊物質が溶解されて蓄電池内の硫酸比重が元の状態に回復され、蓄電池の再生が行われる。本発明の実施例において、蓄電池の充電は３０分間行われ、かかる蓄電池の放電・充電過程は３回実施することを基本として行われる。
【００５２】
蓄電池の充電後、前記ステップＳ１３０に戻って蓄電池の状態を再びチェックし、ステップＳ１４０で蓄電池の放電・充電状態によって蓄電池が正常であると判断したら再生過程が終了するＳ１４１、Ｓ１４２。
【００５３】
ステップＳ１３０でチェックされた蓄電池の状態と、前の過程でチェックされた蓄電池の状態とを比較して、蓄電池の状態が好転していなかったら、再生不可であると判断してＳ１５０、蓄電池を廃棄するＳ１５１。一方、蓄電池状態が好転している場合には以後の過程を継続的に繰り返す。
【００５４】
前記の過程を通じて、蓄電池の再生が行われ、蓄電池の放電時に、蓄電池から放電される電力が電源入力部１００に逆供給されて電源効率を高めることができるようになる。
【図１】
0005297535.tif 000002
【図２】
0005297535.tif 000003
【図３】
0005297535.tif 000004
【図４】
0005297535.tif 000005
【図５】
0005297535.tif 000006
【図６（ａ）】
0005297535.tif 000007
【図６（ｂ）】
0005297535.tif 000008
【図６（ｃ）】
0005297535.tif 000009
【図７】
0005297535.tif 000010
【図８】
0005297535.tif 000011
【図９】
0005297535.tif 000012